(57)【要約】【課題】本発明は除湿装置に関するもので、効果的な排熱対策がとれることを目的とするものである。【解決手段】そしてこの目的を達成するために本発明は、吸気口２と、排気口３と、排気口４を有する本体ケース１内にヒートポンプ５を備え、放熱器７と吸熱器９の間に除湿ローター１０を設け、放湿部１２は放熱器７と吸熱器９との間の風路に設け、吸気口２から本体ケース１内に吸気した空気を放熱器７、除湿ローター１０の放湿部１２、吸熱器９、除湿ローター１０の吸湿部１３を順次介して排気口３へと送風する送風手段１４と、吸気口２から本体ケース１内に吸気した空気を放熱器７、除湿ローター１０の放湿部１２を順次介して排気口４へと送風する送風手段１５を設けるとともに、排気口４には、屋外と連通する連通手段１６を備えた構成とした。【選択図】図１
2011083675.tif 000002
【特許請求の範囲】
【請求項１】
吸気口と、第一の排気口と、第二の排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記本体ケース内の前記放熱器と前記吸熱器の間の空間に回動自在に除湿ローターを設け、この除湿ローターを回動する回動手段を備え、前記除湿ローターは放湿部と吸湿部とからなり、前記吸湿部は前記吸熱器と前記第一の排気口との間の風路に設け、前記放湿部は前記放熱器と前記吸熱器との間の風路に設け、前記吸気口から前記本体ケース内に吸気した空気を前記放熱器、前記除湿ローターの前記放湿部、前記吸熱器、前記除湿ローターの前記吸湿部を順次介して前記第一の排気口へと送風する第一の送風手段と、前記吸気口から前記本体ケース内に吸気した空気を前記放熱器、前記除湿ローターの前記放湿部を順次介して前記第二の排気口へと送風する第二の送風手段を設けるとともに、前記第二の排気口には、屋外と連通する連通手段を備えた除湿装置。
【請求項２】
第二の送風手段は、スクロール形状の第二のケーシング部と、この第二のケーシング部に装着された第二の電動機と、この第二の電動機によって回転する第二の羽根とから形成し、前記第二のケーシング部は、側面に第二の吸込口を有し、天面に第二の吐出口を備え、前記第二の吸込口は、前記吸気口、前記放熱器、および前記除湿ローターの前記放湿部と対向した構成とした請求項１に記載の除湿装置。
【請求項３】
第二の送風手段は、前記本体ケース内の背面側に位置し、前記第二の送風手段の前記第二の吐出口から前記第二の排気口への風路である第二の排気風路は、前記本体ケース内の背面側に位置する構成とした請求項２に記載の除湿装置。
【請求項４】
除湿ローターの前記放湿部は、前記除湿ローターの回転方向に対して上流側に位置する上流側放湿部と、下流側に位置する下流側放湿部とから形成し、前記第一の送風手段によって送風される空気は、前記下流側放湿部を通過し、前記第二の送風手段によって送風される空気は、前記上流側放湿部を通過する構成とした請求項１〜３のいずれか一つに記載の除湿装置。
【請求項５】
第二の送風手段である前記第二の吸込口は、前記吸気口、前記放熱器、および前記除湿ローターの前記放湿部である上流側放湿部と対向した構成とした請求項４に記載の除湿装置。
【請求項６】
第二の排気口は、前記本体ケースの背面側側面に位置した構成とした請求項１〜５のいずれか一つに記載の除湿装置。
【請求項７】
吸気口から前記本体ケース内に吸気した空気を前記吸熱器に連通する連通路を設けた請求項１〜６のいずれか一つに記載の除湿装置。
【請求項８】
連通路に、連通路を通過する風量を調整する風量調整手段を設け、この風量調整手段は、連通路を流れる風量を調整すると共に、前記吸気口から前記本体ケース内に吸気した空気を前記第一の送風手段によって前記放熱器、前記除湿ローターの前記放湿部、前記吸熱器、前記除湿ローターの前記吸湿部を順次介して前記第一の排気口へ流れる風量を調整する構成とした請求項７に記載の除湿装置。
【請求項９】
本体ケースに、湿度測定手段と制御手段とを設け、前記湿度測定手段の湿度測定値に基づいて、前記制御手段は、前記風量調整手段で風量を制御すると共に、前記除湿ローターを回動する回動手段の運転および停止を制御する請求項８に記載の除湿装置。
【請求項１０】
連通手段は、略円筒形状のダクト部で、このダクト部の外周部に断熱手段を設けた請求項１〜９のいずれか一つに記載の除湿装置。
【発明の詳細な説明】
【技術分野】
【０００１】
本発明は、除湿ローターを用いた除湿装置に関するものである。
【背景技術】
【０００２】
従来のこの種の除湿装置の構造は、以下のようになっていた。
【０００３】
すなわち、吸気口と排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記吸気口から前記本体ケース内に吸気した空気を前記吸熱器、前記放熱器を順次介して排気口へと送風する送風手段を備えた構成となっていた（例えば特許文献１参照）。
【先行技術文献】
【特許文献】
【０００４】
【特許文献１】特開昭５９−１５０２３１号公報
【発明の概要】
【発明が解決しようとする課題】
【０００５】
上記従来例において、室内でヒートポンプにより除湿運転すると、除湿すると共に、ヒートポンプより熱が発生するので、この熱を排熱することが検討されている。しかしながら、単に、ヒートポンプから発生する熱を屋外に排熱すると、屋外の空気が窓枠等の隙間から室内に入ることとなる。ここで、屋外が、梅雨などの高湿度な場合には、室内の空気に比べて高湿度な空気が室内に入ることとなり、室内の湿度が上昇し、除湿能力が低下するので、効果的な排熱対策がとれないものであった。
【０００６】
そこで本発明は、効果的な排熱対策がとれることを目的とするものである。
【課題を解決するための手段】
【０００７】
そしてこの目的を達成するために本発明は、吸気口と、第一の排気口と、第二の排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記本体ケース内の前記放熱器と前記吸熱器の間の空間に回動自在に除湿ローターを設け、この除湿ローターを回動する回動手段を備え、前記除湿ローターは放湿部と吸湿部とからなり、前記吸湿部は前記吸熱器と前記排気口との間の風路に設け、前記放湿部は前記放熱器と前記吸熱器との間の風路に設け、前記吸気口から前記本体ケース内に吸気した空気を前記放熱器、前記除湿ローターの前記放湿部、前記吸熱器、前記除湿ローターの前記吸湿部を順次介して前記第一の排気口へと送風する第一の送風手段と、前記吸気口から前記本体ケース内に吸気した空気を前記放熱器、前記除湿ローターの前記放湿部を順次介して前記第二の排気口へと送風する第二の送風手段を設けるとともに、前記第二の排気口には、屋外と連通する連通手段を備えたものであり、これにより初期の目的を達成するものである。
【発明の効果】
【０００８】
以上のように本発明は、吸気口と、第一の排気口と、第二の排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記本体ケース内の前記放熱器と前記吸熱器の間の空間に回動自在に除湿ローターを設け、この除湿ローターを回動する回動手段を備え、前記除湿ローターは放湿部と吸湿部とからなり、前記吸湿部は前記吸熱器と前記排気口との間の風路に設け、前記放湿部は前記放熱器と前記吸熱器との間の風路に設け、前記吸気口から前記本体ケース内に吸気した空気を前記放熱器、前記除湿ローターの前記放湿部、前記吸熱器、前記除湿ローターの前記吸湿部を順次介して前記第一の排気口へと送風する第一の送風手段と、前記吸気口から前記本体ケース内に吸気した空気を前記放熱器、前記除湿ローターの前記放湿部を順次介して前記第二の排気口へと送風する第二の送風手段を設けるとともに、前記第二の排気口には、屋外と連通する連通手段を備えたものであるので、効果的な排熱対策がとることができる。
【０００９】
すなわち、本発明においては、吸気口から本体ケース内に吸気した空気を放熱器、除湿ローターの放湿部、吸熱器、除湿ローターの吸湿部を順次介して第一の排気口へと送風する第一の送風手段と、吸気口から本体ケース内に吸気した空気を放熱器、除湿ローターの放湿部を順次介して第二の排気口へと送風する第二の送風手段を設けるとともに、第二の排気口には、屋外と連通する連通手段を備えたので、除湿ローターの吸湿部で吸湿した室内の湿気を、除湿ローターの放湿部で、放熱器によって加熱した室内の空気が取り込み、第二の送風手段によって、第二の排気口と、連通手段とを介し、屋外に排気することができるものである。
【００１０】
結果として、高温で高湿な空気を屋外に排気することができるので、効果的な排熱対策をとることができる。
【図面の簡単な説明】
【００１１】
【図１】本発明の実施の形態１を示す概略断面を示す図
【図２】本発明の実施の形態２を示す概略断面を示す図
【図３】本発明の実施の形態３を示す概略断面を示す図
【発明を実施するための形態】
【００１２】
以下、本発明の実施形態について図面を参照しながら説明する。
【００１３】
（実施の形態１）
図１に示すように、本実施形態の除湿装置は、略箱形状の本体ケース１を備え、この本体ケース１の前面側側面には、略四角形状の吸気口２と、前面寄り天面には、略四角形状の排気口３と、背面側側面には、略円筒形状の排気口４を設けている。この本体ケース１内には、ヒートポンプ５を備え、このヒートポンプ５は、圧縮機６と、圧縮機６の下流に順次設けた放熱器７、膨張手段８、吸熱器９とにより形成している。
【００１４】
放熱器７と吸熱器９との間に円板形状の除湿ローター１０を回動自在に設け、この除湿ローターを回動する回動手段である電動機１１を備えている。
【００１５】
除湿ローター１０は放湿部１２と吸湿部１３とからなり、放湿部１２は放熱器７と吸熱器９との間の風路に設け、吸湿部１３は吸熱器９と排気口３との間の風路に設けている。
【００１６】
除湿ローター１０の吸湿部１３と排気口３との間の風路に送風手段１４を設け、この送風手段１４によって、吸気口２から本体ケース１内に吸気した空気を放熱器７、除湿ローター１０の放湿部１２、吸熱器９、除湿ローター１０の吸湿部１３を順次介して排気口３へと送風される。
【００１７】
すなわち、送風手段１４によって吸気口２から本体ケース１内に吸気した空気は、放熱器７で加熱され、高温で相対湿度の低い空気となり、除湿ローター１０の放湿部１２へ送風される。この放湿部１２に送風された空気は、放湿部１２の湿気を取り込み湿度の高い状態となって吸熱器９へ送られる。この吸熱器９で結露させて除湿し、吸湿部１３に達する。そこで、乾燥状態となった除湿ローター１０の放湿部１２が回動手段である電動機１１によって回転し、吸湿部１３となり、この吸湿部１３で吸熱器９で除湿されなかった湿度を吸湿し除湿し、この除湿された空気が排気口３から室内へ送風されるものである。
【００１８】
本実施形態における特徴は、吸気口２から本体ケース１内に吸気した空気を放熱器７、除湿ローター１０の放湿部１２を順次介して排気口４へと送風するための送風手段１５を除湿ローター１０の放湿部１２と排気口４との間の風路に設けるとともに、排気口４には、屋外と連通する連通手段１６を備えた点である。
【００１９】
すなわち、本実施形態においては、吸気口２から本体ケース１内に吸気した空気を放熱器７、除湿ローター１０の放湿部１２、吸熱器９、除湿ローター１０の吸湿部１３を順次介して排気口３へと送風する送風手段１４と、吸気口２から本体ケース１内に吸気した空気を放熱器７、除湿ローター１０の放湿部１２を順次介して排気口４へと送風する送風手段１５を設けるとともに、排気口４には、屋外と連通する連通手段１６を備えたので、除湿ローター１０の吸湿部１３で吸湿した室内の湿気を、除湿ローター１０の放湿部１２で、放熱器７によって加熱した室内の空気が取り込み、送風手段１５によって、排気口４と、連通手段１６とを介し、屋外に排気することができるものである。
【００２０】
結果として、高温で高湿な空気を屋外に排気することができるので、効果的な排熱対策をとることができる。
【００２１】
また、送風手段１５は、スクロール形状のケーシング部１７と、このケーシング部１７に装着された電動機１８と、この電動機１８によって回転する羽根１９とから形成されている。ケーシング部１７は、側面に吸込口１７ａを有し、天面に吐出口１７ｂを備えている。吸込口１７ａは、吸気口２、放熱器７、および除湿ローター１０の放湿部１２と対向した構成としたものである。具体的には、本体ケース１の前面側側面に略四角形状の吸気口２が位置し、この吸気口２の下部に対向して、放熱器７、除湿ローター１０の放湿部１２、およびケーシング部１７の吸込口１７ａが位置したものである。つまり、吸気口２、放熱器７、除湿ローター１０の放湿部１２、およびケーシング部１７の吸込口１７ａがほぼ一直線上に位置する構成である。
【００２２】
すなわち、送風手段１５によって、本体ケース１の前面側側面に略四角形状の吸気口２から吸い込まれた空気は、放熱器７、除湿ローター１０の放湿部１２を介して、ケーシング部１７の吸込口１７ａへと通じる、ほぼ一直線上の風路を介して、送風手段１５に流れ込むので、吸気口２から送風手段１５への風路が短くなり、本体ケース１内での放熱を抑制し、効率的に排気することができる。
【００２３】
また、送風手段１５は、本体ケース１内の背面側に位置し、送風手段１５の吐出口１７ｂから排気口４への風路である排気風路２０は、本体ケース１内の背面側に位置する構成としたものである。具体的には、本体ケース１内の背面側下部には、送風手段１５が位置し、この送風手段１５の天面に吐出口１７ｂを備え、本体ケース１の背面側側面上部には、排気口４が位置している。これら送風手段１５の吐出口１７ｂと排気口４とを連通する排気風路２０が、本体ケース１内の背面側に位置するものである。
【００２４】
すなわち、本体ケース１は、通常、本体ケース１の背面側が、室内の壁部分に対向して設置されるため、送風手段１５の吐出口１７ｂと排気口４とを連通する排気風路２０が、本体ケース１内の背面側に位置し、本体ケース１の背面側側面に高温の空気が流れるので、本体ケース１の前面側は、背面側に比べ温度が低いので、本体ケース１の前面側からの室内への放熱を抑制することができる。
【００２５】
また、除湿ローター１０の放湿部１２は、除湿ローター１０の回転方向に対して上流側に位置する上流側放湿部１２ａと、下流側に位置する下流側放湿部１２ｂとから形成し、送風手段１４によって送風される空気は、下流側放湿部１２ｂを通過し、送風手段１５によって送風される空気は、上流側放湿部１２ａを通過する構成としたものである。
【００２６】
具体的には、除湿ローター１０は吸湿部１３と放湿部１２とからなり、この放湿部１２は更に、上流側放湿部１２ａと下流側放湿部１２ｂとから形成している。上流側放湿部１２ａは、除湿ローター１０の回転方向に対して、除湿ローター１０の放湿部１２の上流側に位置し、下流側放湿部１２ｂは、除湿ローター１０の回転方向に対して、除湿ローター１０の放湿部１２の下流側に位置するものである。つまり、除湿ローター１０の吸湿部１３が、吸熱器９で除湿されなかった湿度を吸湿し、この湿度を吸湿した吸湿部１３が、まず回動手段である電動機１１によって回転し、上流側放湿部１２ａとなり、次に更に回転し、上流側放湿部１２ａが下流側放湿部１２ｂとなるものである。そして、上流側放湿部１２ａは、送風手段１５によって送風される空気が通過し、下流側放湿部１２ｂは、送風手段１４によって送風される空気が通過するものである。
【００２７】
すなわち、除湿ローター１０の吸湿部１３が、吸熱器９で除湿されなかった湿度を吸湿し、この湿度を吸湿した吸湿部１３が、まず回動手段である電動機１１によって回転し、上流側放湿部１２ａとなる。ここで、送風手段１５によって、吸気口２から本体ケース１内に吸気した空気が、放熱器７で加熱され、高温で相対湿度の低い空気となり、この空気が、上流側放湿部１２ａへ送風され、上流側放湿部１２ａの湿気を放湿させると共に、屋外に排気される。次に、除湿ローター１０が更に回転し、上流側放湿部１２ａが下流側放湿部１２ｂとなるので、送風手段１４によって、吸気口２から本体ケース１内に吸気した空気が、放熱器７で加熱され、高温で相対湿度の低い空気となり、この空気が、下流側放湿部１２ｂへ送風され、上流側放湿部１２ａで除湿されなかった湿気を、下流側放湿部１２ｂで放湿させ、吸熱器９、および除湿ローター１０の吸湿部１３で除湿し、室内へ排気するものである。結果として、上流側放湿部１２ａで吸着している湿気量は、下流側放湿部１２ｂで吸着している湿気量より大きいので、上流側放湿部１２ａで放湿される湿気量は、下流側放湿部１２ｂで放湿される湿気量より大きくなる。つまり、放湿される湿気量の大きい上流側放湿部１２ａを通過する空気は、送風手段１５によって、屋外に排気されるので、室内の除湿を効率よく行うことができる。
【００２８】
また、送風手段１５である吸込口１７ａは、吸気口２、放熱器７、および除湿ローター１０の放湿部１２である上流側放湿部１２ａと対向した構成としたものである。
【００２９】
具体的には、本体ケース１の前面側側面に略四角形状の吸気口２が位置し、この吸気口２の下部に対向して、放熱器７、除湿ローター１０の放湿部１２である上流側放湿部１２ａ、およびケーシング部１７の吸込口１７ａが位置したものである。つまり、吸気口２、放熱器７、除湿ローター１０の放湿部１２の上流側放湿部１２ａ、およびケーシング部１７の吸込口１７ａがほぼ一直線上に位置する構成である。
【００３０】
すなわち、送風手段１５によって、本体ケース１の前面側側面に略四角形状の吸気口２から吸い込まれた空気は、放熱器７、除湿ローター１０の放湿部１２の上流側放湿部１２ａを介して、ケーシング部１７の吸込口１７ａへと通じる、ほぼ一直線上の風路を介して、送風手段１５に流れ込むので、吸気口２から送風手段１５への風路が短くなり、本体ケース１内での放熱を抑制し、効率的に排気することができる。
【００３１】
また、排気口４は、本体ケース１の背面側側面に位置した構成としたものである。すなわち、本体ケース１は、通常、本体ケース１の背面側が、室内の壁部分に対向して設置されるため、排気口４と屋外を連通する連通手段１６を短くすることができるので、連通手段１６から室内への放熱を抑制することができる。
【００３２】
また、連通手段１６は、略円筒形状のダクト部１６ａで、このダクト部１６ａの外周部に断熱手段を設けたものである。すなわち、ダクト部１６ａの外周部に断熱手段である断熱材１６ｂを設けたので、ダクト部１６ａから室内への放熱を抑制することができる。
【００３３】
（実施の形態２）
以下、本発明の実施の形態２における除湿装置について図面を参照しながら説明する。なお、実施の形態１の構成と同様の構成を有するものについては、同一符号を付してその説明を省略する。
【００３４】
実施の形態１と相違する点は、図２に示す吸気口２から本体ケース１内に吸気した空気を吸熱器９に連通する連通路２１を設けた点である。具体的には、連通路２１は、送風手段１４と除湿ローター１０とをバイパスし、本体ケース１内の一方側側面部に位置した風路である。このように、連通路２１を設けることにより、送風手段１４によって、吸気口２から本体ケース１内に吸気した空気は、２つの風路を介して、排気口３から室内へ送風されるものである。一方は、吸気口２から本体ケース１内に吸気した空気は、放熱器７で加熱され、高温で相対湿度の低い空気となり、除湿ローター１０の放湿部１２へ送風される。この放湿部１２に送風された空気は、放湿部１２の湿気を取り込み湿度の高い状態となって吸熱器９へ送られる。この吸熱器９で結露させて除湿し、吸湿部１３に達する。この吸湿部１３で吸熱器９で除湿されなかった湿度を吸湿し除湿し、この除湿された空気が排気口３から室内へ送風される。また他方は、吸気口２から本体ケース１内に吸気した空気は、連通路２１を介し、吸熱器９へ送られ、この吸熱器９で結露させて除湿し、吸湿部１３に達する。この吸湿部１３で吸熱器９で除湿されなかった湿度を吸湿し除湿し、この除湿された空気が排気口３から室内へ送風される。
【００３５】
すなわち、連通路２１を設けることにより、送風手段１４によって、吸気口２から本体ケース１内に吸気した空気は、２つの風路を介して吸熱器９へ送風されるので、吸気口２から吸湿部１３までの通風抵抗が低減され、吸湿部１３を通過する風量が大きくなり、吸湿部１３にて吸湿される水分量が増加することになる。これにより、放湿部１２における放湿量も増加することになる。結果として、除湿ローター１０での吸湿、放湿の効率を向上することができ、より多くの湿分を含んだ空気を排気口４から室外に送風することができる。
【００３６】
また、連通路２１に、連通路２１を通過する風量を調整する風量調整手段２２を設け、この風量調整手段２２は、連通路２１を流れる風量を調整すると共に、吸気口２から本体ケース１内に吸気した空気を送風手段１４によって放熱器７、除湿ローター１０の放湿部１２、吸熱器９、除湿ローター１０の吸湿部１３を順次介して排気口３へ流れる風量を調整する構成としたものである。具体的には、風量調整手段２２は開閉式のダンパー２２ａで、このダンパー２２ａの開度によって風量を調整するものであり、連通路２１の開度が大きくなると、除湿ローター１０の放湿部１２から吸熱器９へ連通する風路である放湿吸熱風路２３の開度が小さくなり、また、連通路２１の開度が小さくなると、除湿ローター１０の放湿部１２から吸熱器９へ連通する風路である放湿吸熱風路２３の開度が大きくなるものである。
【００３７】
このように、連通路２１に設けた風量調整手段２２であるダンパー２２ａによって、送風手段１４により、吸気口２から本体ケース１内に吸気した空気は、２つの風路を介して、排気口３から室内へ送風され、それぞれの風路の風量を調整できるものである。
【００３８】
すなわち、送風手段１４によって、放熱器７および吸熱器９へ送風される風量を調整できるので、放熱器７での放熱量、吸熱器９での吸熱量のバランスを良くすることができ、ヒートポンプ５の効率を更に向上することができるとともに、放湿部１２および吸湿部１３へ送風される風量も調整できるので、放湿部１２での放湿量、吸湿部１３での吸湿量のハバランスを良くすることができ、除湿ローター１０の吸放湿の効率を向上することができる。
【００３９】
（実施の形態３）
以下、本発明の実施の形態３における除湿装置について図面を参照しながら説明する。なお、実施の形態２の構成と同様の構成を有するものについては、同一符号を付してその説明を省略する。
【００４０】
実施の形態２と相違する点は、図３に示すように、本体ケース１に、湿度測定手段２４と制御手段２５とを設け、湿度測定手段２４の湿度測定値に基づいて、制御手段２５は、風量調整手段２２で風量を制御すると共に、除湿ローター１０を回動する回動手段の運転および停止を制御する点である。具体的には、風量調整手段２２は、開閉式のダンパー２２ａで、湿度測定手段２４の湿度測定値によって、ダンパー２２ａの開度を変化させ、風量を調整するものであり、連通路２１の開度が大きくなると、除湿ローター１０の放湿部１２から吸熱器９へ連通する風路である放湿吸熱風路２３の開度が小さくなり、また、連通路２１の開度が小さくなると、除湿ローター１０の放湿部１２から吸熱器９へ連通する風路である放湿吸熱風路２３の開度が大きくなるものである。
【００４１】
まず、湿度測定手段２４の湿度測定値が所定の湿度値より高い場合には、風量調整手段２２であるダンパー２２ａの開度を、連通路２１の開度が大きく、放湿吸熱風路２３の開度が小さくなるように制御手段２５によって制御すると共に、除湿ローター１０を回動する回動手段である電動機１１を停止する。また、湿度測定手段２４の湿度測定値が所定の湿度値より低い場合には、風量調整手段２２であるダンパー２２ａの開度を、連通路２１の開度が小さく、放湿吸熱風路２３の開度が大きくなるように制御手段２５によって制御すると共に、除湿ローター１０を回動する回動手段である電動機１１を運転する。なお、所定の湿度値の一例は６０から７０％である。
【００４２】
すなわち、湿度測定手段２４の湿度測定値が所定の湿度値より高い場合には、除湿ローター１０を回動する回動手段である電動機１１を停止することにより、高湿度時の除湿効率が高いヒートポンプ５のみの除湿となる。ここで、風量調整手段２２であるダンパー２２ａの開度を、連通路２１の開度が大きく、放湿吸熱風路２３の開度が小さくなるように制御手段２５によって制御するので、送風手段１４によって除湿ローター１０の吸湿部１３および吸熱器９に流れる空気は、風路抵抗の小さい連通路２１を介して流れる空気が増加するのに伴い増加し、吸熱器９での除湿量も増加する。また、送風手段１５によって屋外へ排気される空気も増加するので、排熱量も増加することができる。
【００４３】
一方、湿度測定手段２４の湿度測定値が所定の湿度値より低い場合には、除湿ローター１０を回動する回動手段である電動機１１を運転することにより、低湿度時の除湿効率が高い除湿ローター１０とヒートポンプ５による除湿となる。ここで、送風手段１４によって吸気口２から本体ケース１内に吸気した空気は、放熱器７で加熱され、高温で相対湿度の低い空気となり、除湿ローター１０の放湿部１２へ送風される。この放湿部１２に送風された空気は、放湿部１２の湿気を取り込み湿度の高い状態となって吸熱器９へ送られる。この吸熱器９で結露させて除湿し、吸湿部１３に達する。そこで、乾燥状態となった除湿ローター１０の放湿部１２が回動手段である電動機１１によって回転し、吸湿部１３となり、この吸湿部１３で吸熱器９で除湿されなかった湿度を吸湿し除湿するので、効率的に除湿することができる。また、送風手段１５によって屋外へ排気される空気は減少するので、屋外の湿度の高い空気が室内に入ることを抑制することができる。結果として、高温で高湿な空気を屋外に排気することができるので、効果的な排熱対策をとることができる。
【産業上の利用可能性】
【００４４】
以上のように本発明は、吸気口と、第一の排気口と、第二の排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記本体ケース内の前記放熱器と前記吸熱器の間の空間に回動自在に除湿ローターを設け、この除湿ローターを回動する回動手段を備え、前記除湿ローターは放湿部と吸湿部とからなり、前記吸湿部は前記吸熱器と前記排気口との間の風路に設け、前記放湿部は前記放熱器と前記吸熱器との間の風路に設け、前記吸気口から前記本体ケース内に吸気した空気を前記放熱器、前記除湿ローターの前記放湿部、前記吸熱器、前記除湿ローターの前記吸湿部を順次介して前記第一の排気口へと送風する第一の送風手段と、前記吸気口から前記本体ケース内に吸気した空気を前記放熱器、前記除湿ローターの前記放湿部を順次介して前記第二の排気口へと送風する第二の送風手段を設けるとともに、前記第二の排気口には、屋外と連通する連通手段を備えたものであるので、効果的な排熱対策がとることができる。
【００４５】
すなわち、本発明においては、吸気口から本体ケース内に吸気した空気を放熱器、除湿ローターの放湿部、吸熱器、除湿ローターの吸湿部を順次介して排気口へと送風する送風手段と、吸気口から本体ケース内に吸気した空気を放熱器、除湿ローターの放湿部を順次介して第二の排気口へと送風する第二の送風手段を設けるとともに、第二の排気口には、屋外と連通する連通手段を備えたので、除湿ローターの吸湿部で吸湿した室内の湿気を、除湿ローターの放湿部で、放熱器によって加熱した室内の空気が取り込み、第二の送風手段によって、第二の排気口と、連通手段とを介し、屋外に排気することができるものである。
【００４６】
結果として、高温で高湿な空気を屋外に排気することができるので、効果的な排熱対策をとることができる。
【００４７】
従って、家庭用や事務用などの、除湿装置としての活用が期待されるものである。
【符号の説明】
【００４８】
１      本体ケース
２      吸気口
３      排気口
４      排気口
５      ヒートポンプ
６      圧縮機
７      放熱器
８      膨張手段
９      吸熱器
１０    除湿ローター
１１    電動機
１２    放湿部
１２ａ  上流側放湿部
１２ｂ  下流側放湿部
１３    吸湿部
１４    送風手段
１５    送風手段
１６    連通手段
１６ａ  ダクト部
１６ｂ  断熱材
１７    ケーシング部
１７ａ  吸込口
１７ｂ  吐出口
１８    電動機
１９    羽根
２０    排気風路
２１    連通路
２２    風量調整手段
２２ａ  ダンパー
２３    放湿吸熱風路
２４    湿度測定手段
２５    制御手段
【図１】
2011083675.tif 000003
【図２】
2011083675.tif 000004
【図３】
2011083675.tif 000005